(57)【特許請求の範囲】
【請求項１】
左側板と右側板と天板と底板と背板とが互いに固定されて前方に開放されかつ左右上下後の囲まれた方形な内部空間を構成する箱形の遊技機用筐体であって、筐体には筐体の内部空間側から外部側に窪む空間側凹部と筐体の外部側から内部空間側に窪む外側凹部とを筐体の内部空間側面に平行する方向又は直交する方向に位置をずらして形成された隙間で繋いで空気を流通させるものの不正操作部材を通過させ難い構造の通気孔が設けられたことを特徴とする遊技機の筐体。
【請求項２】
左側板と右側板と天板と底板と背板とが互いに固定されて前方に開放されかつ左右上下後の囲まれた方形な内部空間を構成する箱形の遊技機用筐体であって、筐体の通気孔を形成する部材が内部空間側部材と外部側部材とからなり、内部空間側部材と外部側部材とがそれらの間に隙間を形成するように互いに離れて配置され、内部空間側部材と外部側部材とには通気孔が別々に設けられ、内部空間側部材の通気孔と外部側部材の通気孔とが互いに空気を流通させるものの不正操作部材を通過させ難いように内部空間側面に平行する方向に位置をずらして配置されたことを特徴とする遊技機の筐体。
【発明の詳細な説明】
【技術分野】
【０００１】
本発明は、パチンコ機又はスロットマシン等の遊技機の筐体であり、前方に開放され左右上下及び背面の囲まれた方形な内部空間を造形する箱形の筐体に関する。
【背景技術】
【０００２】
図１３は、特許文献１で開示されたパチンコ機の外枠を示す。図１３において、外枠５１は、前後方向に開放されかつ左右上下の囲まれた方形な内部空間５２を造形する枠形になっている。外枠５１は、遊技店の島設備と言われる遊技機設置構造体の上横部材と下横部材との間の空間に挿入され、外枠５１の天板５３と底板５４とが遊技機設置構造体の上横部材と下横部材とに釘のような固定具で固定される。外枠５１の底板５４の前部と左側板５５の下側前部と右側板５６の下側前部とにわたって幕板５７が固定される。外枠５１の前部には図外の前枠が左側のヒンジで開閉可能に連結され、前枠には図外の遊技盤や制御装置及び前扉等の多数の部品が取り付けられる。つまり、パチンコ機は、外枠５１と前枠と前扉からなる遊技機枠に遊技盤や制御装置を取り付けた構造である。しかしながら、外枠５１が前後方向に開放された構造になっているので、パチンコ機が遊技機設置構造体に設置された状態において、ピアノ線のような不正操作部材が外枠５１の後方から遊技盤の側に挿入されて、不正行為が行われることがある。このようなことから、パチンコ機にもスロットマシンに用いられている前方に開放され左右上下及び背面の囲まれた方形な内部空間を造形する箱形の筐体を用いることが考えられる。このような箱形の筐体の場合、前枠や前扉が閉じられて、制御装置や遊技盤に搭載された電気部品が供給された電力で作動している場合において、当該電気部品から発生された熱を筐体の内部から外部に放出するための通気孔が筐体に設けられているので、ピアノ線のような不正操作部材が筐体の外部から通気孔を経由して筐体の内部に挿入されて、不正行為が行われるという欠点がある。
【先行技術文献】
【特許文献】
【０００３】
【特許文献１】特開２０１０‐１１９８３４号公報
【発明の概要】
【発明が解決しようとする課題】
【０００４】
本発明は、上記背景技術に鑑みてなされたものであり、通気性を維持すると共に不正操作を防止できるようにすることを目的とする。
【課題を解決するための手段】
【０００５】
本発明は、左側板と右側板と天板と底板と背板とが互いに固定されて前方に開放されかつ左右上下後の囲まれた方形な内部空間を構成する箱形の遊技機用筐体であって、筐体には筐体の内部空間側から外部側に窪む空間側凹部と筐体の外部側から内部空間側に窪む外側凹部とを筐体の内部空間側面に平行する方向又は直交する方向に位置をずらして形成された隙間で繋いで空気を流通させるものの不正操作部材を通過させ難い構造の通気孔が設けられるか、又は、筐体の通気孔を形成する部材が内部空間側部材と外部側部材とからなり、内部空間側部材と外部側部材とがそれらの間に隙間を形成するように互いに離れて配置され、内部空間側部材と外部側部材とには通気孔が別々に設けられ、内部空間側部材の通気孔と外部側部材の通気孔とが互いに空気を流通させるものの不正操作部材を通過させ難いように内部空間側面に平行する方向に位置をずらして配置されたことを特徴とする。
【発明の効果】
【０００６】
本発明は、通気孔が空間側凹部と外側凹部とを背板の内部空間側面に平行する方向又は直交する方向に位置をずらして形成された隙間で繋いで空気を流通させるものの不正操作部材を通過させ難い構造になっているか、又は、筐体の通気孔を形成する部材が内部空間側部材と外部側部材とからなり、内部空間側部材と外部側部材とがそれらの間に隙間を形成するように互いに離れて配置され、内部空間側部材と外部側部材とには通気孔が別々に設けられ、内部空間側部材の通気孔と外部側部材の通気孔とが互いに空気を流通させるものの不正操作部材を通過させ難いように内部空間側面に平行する方向に位置をずらして配置されたので、筐体の内部に収容された電気部品からの放熱を筐体の外部に排出することができるうえ、筐体の内部に収容された電気部品や機構部品に対する不正操作部材による不正操作を防止することができるという効果がある。
【図面の簡単な説明】
【０００７】
【図１】Ａ図は実施の形態１に係るパチンコ機の筐体を示す斜視図、Ｂ図はＡ図に示すＡ−Ａ線断面図。
【図２】実施の形態２に係る通気孔を示すＡ−Ａ線断面図に相当する断面図。
【図３】実施の形態３に係るパチンコ機用の筐体を示す分解斜視図。
【図４】実施の形態３に係る通気孔を示すＡ−Ａ線断面図に相当する断面図。
【図５】実施の形態４に係る通気孔を示すＡ−Ａ線断面図に相当する断面図。
【図６】実施の形態５に係るパチンコ機用の筐体を示す分解斜視図。
【図７】実施の形態５に係る図６に示すＢ−Ｂ線断面図。
【図８】実施の形態６に係る通気孔を示すＢ−Ｂ線断面図に相当する断面図。
【図９】実施の形態７に係る通気孔を示すＢ−Ｂ線断面図に相当する断面図。
【図１０】実施の形態８に係る通気孔を示すＡ−Ａ線断面図に相当する断面図。
【図１１】実施の形態９に係る通気孔を示すＡ−Ａ線断面図に相当する断面図。
【図１２】実施の形態１０に係るスロットマシンの筐体を示す斜視図。
【図１３】従来のパチンコ機用の外枠を示す斜視図。
【発明を実施するための形態】
【０００８】
本明細書において、「前」、「後」、「左」、「右」、「上」、「下」の方向は図１のＡ図の状態に遊技機の筐体１を置いて矢印Ｓで示す前側から見た場合に特定される方向である。
【０００９】
図１を参照し、実施の形態１に係るパチンコ機の筐体１について説明する。図１のＡ図に示すように、筐体１は、天板２の左端部と左側板３の上端部とが互いに固定され、天板２の右端部と右側板４の上端部とが互いに固定され、底板５の左端部と左側板３の下端部とが互いに固定され、底板５の右端部と右側板４の下端部とが互いに固定され、背板６の周縁部が天板２の後部と左側板３の後部と右側板４の後部と底板５の後部とに固定されたことにより、前方に開放されかつ左右上下後の囲まれた方形な内部空間７を構成する。筐体１の前部には図外の前枠が左側のヒンジで開閉可能に連結され、前枠には図外の遊技盤や制御装置及び機構部品並びに前扉が取り付けられ、前枠が閉じられて筐体１の前部を塞ぐことにより上記遊技盤や制御装置及び機構部品が内部空間７に収容される。
【００１０】
天板２と左側板３と右側板４と底板５及び背板６の素材は木質材又は木材又は合成樹脂等が考えられるが、天板２と底板５とには木質材又は木材を選択すれば、筐体１を島設備と言われる遊技機設置構造体に釘で固定することが容易である。天板２と左側板３と右側板４と底板５及び背板６は、直角な４隅を有する方形な板状である。天板２と左側板３と右側板４と底板５は、前後方向の奥行きが同じ寸法である。又、天板２と底板５とは、左右方向の幅が同じ寸法であり、同形に構成される。左側板３と右側板４とは、上下方向の高さが同じ寸法であり、同形に構成される。背板６は、天板２と左側板３と右側板４と底板５とで囲まれた方形な内部空間７の後部を全面的に塞ぐ大きさである。よって、内部空間７の前面開口は、背板６の前面としての内部空間側面と平行な垂直面を構成する。
【００１１】
左側板３及び右側板４には、取っ手８；９が個別に設けられる。取っ手８は、左側板３の外部側から内部空間側に窪む凹部として形成される。取っ手９は、右側板４の外部側から内部空間側に窪む凹部として形成される。筐体１には、通気孔１０が設けられる。通気孔１０の個数は、単数でも複数でもよい。通気孔１０は、筐体１の内部空間側から外部側に窪む空間側凹部１１と筐体１の外部側から内部空間側に窪む外側凹部１２とを筐体１の内部空間７の側に位置する内部空間側面に平行する方向と直交する方向とに位置をずらして形成された隙間１３で繋いで筐体１の内部空間７と外部とに空気を流通させるものの不正操作部材を通過させ難い造形になっている。
【００１２】
図１のＡ図では、通気孔１０が背板６に設けられた場合を例として図示したが、通気孔１０は天板２と左側板３と右側板４と底板５と背板６とのそれぞれに又は何れかに設けられてもよい。通気孔１０は天板２と左側板３と右側板４と底板５と背板６とのそれぞれに又は何れかに設けられた場合には、以下の説明において、通気孔１０の設けられる部材としての背板６を、天板２と左側板３と右側板４と底板５とそれぞれ読み替えることにより、適用可能になる。又、取っ手８又は取っ手９を外側凹部１２となるよう利用して、空間側凹部１１と外側凹部１２とを隙間１３で繋いでなる通気孔１０を構成してもよい。空間側凹部１１と外側凹部１２とが背板６の内部において隙間１３で繋がった構造については、図１のＢ図で説明する。
【００１３】
図１のＢ図では、空間側凹部１１と外側凹部１２とが互いに背板６の内部空間側面に平行する方向と背板６の内部空間側面に直交する方向とに交差するように位置をずらして隙間１３を形成する。例えば、隙間１３の内部空間側面に平行する方向の寸法Ｌ１が２ｍｍ、隙間１３の部空間側面に直交する方向の寸法Ｌ２が１ｍｍと考えられるが、上記寸法Ｌ１；Ｌ２は上記数値に限定されるものではなく空気を流通させるものの不正操作部材を通過させ難い寸法であればよい。
【００１４】
このように通気孔１０が空間側凹部１１と外側凹部１２とを隙間１３で繋いで空気を流通させるものの不正操作部材を通過させ難い構造になっているので、内部空間７に収容された図外の電気部品が供給された電力で作動している場合において、当該電気部品からの放熱を筐体１の内部空間７から通気孔１０を経由させて筐体１の外部に排出することができる。しかも、不正操作部材が筐体１の外部から外側凹部１２を経由して隙間１３に挿入され難くなるので、内部空間７に配置された図外の電気部品や機構部品に対する不正操作部材による不正操作を防止することができる。
【００１５】
又、空間側凹部１１が上で外側凹部１２が下になるように、又は、空間側凹部１１が左で外側凹部１２が右になるように、又は、空間側凹部１１が右で外側凹部１２が左になるように、空間側凹部１１と外側凹部１２とが配置されていても適用可能であるが、図１のＢ図に示すように、空間側凹部１１が下で外側凹部１２が上になるように配置されていれば、空間側凹部１１が上で外側凹部１２が下になる場合よりも、内部空間７に配置された図外の電気部品からの放熱が矢印Ｘで示すように下の空間側凹部１１から上の隙間１３を経由して更に外側凹部１２から外部へとつまり下から上へと通気孔１０を経由して外部に円滑に放出される。
【００１６】
図１のＡ図では、幕板１４が左側板３の下部と右側板４の下部と底板５とにわたって固定されて内部空間７の前側下部を塞いだ造形の遊技機用筐体１を例示したが、幕板１４は設けられない場合もある。尚、筐体１の前面には、パチンコ機の図外の前枠が左側に位置するヒンジを中心として開閉可能に連結される。
【００１７】
図２を参照し、実施の形態２に係る通気孔１０について説明する。図２に示す通気孔１０では、空間側凹部１１の外側凹部側と外側凹部１２の空間側凹部側とが筐体１の内部空間側面としての背板６の内部空間側面に平行する方向で内部空間側面に直交する方向の１つの平面内に位置すると共に内部空間側面に直交する方向で交差するように位置をずらして隙間１３を形成する。換言すると、隙間１３は、空間側凹部１１と外側凹部１２とが背板６の内部空間側面に平行する方向に位置をずらすことなく背板６の内部空間側面に直交する方向にだけ位置をずらして形成された造形である。
【００１８】
例えば、図１に示すＬ１＝０、図２の寸法Ｌ２＝２ｍｍとすることが考えられるが、Ｌ２は上記数値に限定されるものではなく空気を流通させるものの不正操作部材を通過させ難い寸法に形成されていればよい。Ｌ１＝０つまり空間側凹部１１と外側凹部１２とが背板６の内部空間側面に平行する方向に位置をずらしていないので、図外の不正操作部材が背板６の外部から外側凹部１２に挿入された場合に、不正操作部材が外側凹部１２の奥の縦面に衝突して隙間１３に挿入され難くなるので、内部空間７に配置された図外の電気部品や機構部品に対する不正操作部材による不正操作を防止することができる。
【００１９】
図３及び図４を参照し、実施の形態３にパチンコ機の筐体１について説明する。図３に示すように、木質材又は木材又は合成樹脂からなる筐体１の内部空間７に、金属からなる筐体２１を収容する構成である。筐体１は、木質材又は木材又は合成樹脂製の天板２と木質材又は木材又は合成樹脂製の左側板３と木質材又は木材又は合成樹脂製の右側板４と木質材又は木材又は合成樹脂製の底板５と木質材又は木材又は合成樹脂製の背板６とから、前方に開放されかつ左右上下後の囲まれた方形な内部空間７を構成する。筐体２１は、金属製の天板２２と金属製の左側板２３と金属製の右側板２４と金属製の底板２５と金属製の背板２６とから、前方に開放されかつ左右上下後の囲まれた方形な内部空間２７を構成する。
【００２０】
筐体２１が筐体１の内部空間７に収容された場合、天板２と天板２２とが互いに重なり合わされ、左側板３と左側板２３とが互いに重なり合わされ、右側板４と右側板２４とが互いに重なり合わされ、底板５と底板２５とが互いに重なり合わされ、背板６と背板２６とが互いに重なり合わされた構造になり、不正操作部材が筐体１の外部から筐体１に突き刺さられても、金属製の筐体２１が不正操作部材の内部空間２７への侵入を防止することができる。筐体２１が内部空間７に収容された場合において、図１に示す幕板１４を筐体１に取り付けてもよい。
【００２１】
図３に戻り、筐体２１には、通気孔２８が設けられる。通気孔２８の個数は、筐体１に設けられた通気孔１０と同数設けられる。図３では、通気孔１０が筐体１の背板６に設けられた場合を例示してあるので、通気孔２８が筐体２１の背板２６に設けられている。通気孔２８は通気孔１０における空間側凹部１１の内部空間側開口より小さい口径であり、筐体２１が筐体１の内部空間７に収容され、背板６と背板２６とが互いに重なり合わされた場合に、背板２６の通気孔２８を取り囲む部分が空間側凹部１１の内部空間側開口の一部を塞ぐようになっている。筐体２１が筐体１の内部空間７に収容され、背板６と背板２６とが互いに重なり合わされた場合における通気孔１０と通気孔２８との配置関係については、図４で説明する。
【００２２】
図４に示すように、筐体２１が筐体１の内部空間７に収容され、背板６と背板２６とが互いに重なり合わされた場合には、背板２６の通気孔２８を取り囲む部分が隙間１３と内部空間７；２７の側で対向して空間側凹部１１の内部空間側開口の一部を塞ぐので、図外の不正操作部材が筐体１の外部から外側凹部１２及び隙間１３を経由して空間側凹部１１に挿入された場合でも、不正操作部材が金属製の背板２６の通気孔２８を取り囲む部分に衝突して内部空間７に挿入され難くなるので、内部空間７に配置された図外の電気部品や機構部品に対する不正操作部材による不正操作を防止することができる。尚、通気孔１０の構造を図２に示す構造としても適用可能である。
【００２３】
図５を参照し、実施の形態４に係る通気孔１０；２８について説明する。図５に示すように、筐体２１が筐体１の内部空間７に収容され、背板６と背板２６とが互いに重なり合わされた場合には、背板２６の通気孔２８を取り囲む部分が隙間１３と内部空間７；２７の側で対向して空間側凹部１１の内部空間側開口の周囲を塞ぐようになっている。よって、図外の不正操作部材が筐体１の外部から外側凹部１２及び隙間１３を経由して空間側凹部１１に挿入された場合でも、図４の実施の形態３よりも不正操作部材が金属製の背板２６の通気孔２８を取り囲む部分に衝突して内部空間７に挿入され難くなるので、内部空間７に配置された図外の電気部品や機構部品に対する不正操作部材による不正操作を防止することができる。尚、通気孔１０の構造を図２に示す構造としても適用可能である。
【００２４】
図３乃至図５では、筐体２１を筐体１の内部空間７に収容した構造を例として説明したが、図３に示す金属製の天板２２に相当する金属板と金属製の左側板２３に相当する金属板と金属製の右側板２４に相当する金属板と金属製の底板２５に相当する金属板と金属製の背板６に相当する金属板とを別々の部材として、筐体１の内部に付設してもよい。具体的には、天板２２に相当する金属板が天板２の内部空間側に重ね合わせて固定され、左側板２３に相当する金属板が左側板３の内部空間側に重ね合わせて固定され、右側板２４に相当する金属板が右側板４の内部空間側に重ね合わせて固定され、底板２５に相当する金属板が底板５の内部空間側に重ね合わせて固定され、背板６に相当する金属板が背板６の内部空間側に重ね合わせて固定されてもよい。
【００２５】
又、筐体１の内部に別々の部材として付設される、天板２２に相当する金属板、左側板２３に相当する金属板、右側板２４に相当する金属板、底板２５に相当する金属板、背板６に相当する金属板が筐体１の通気孔１０の設けられた部材に対してだけ設置される構造であってもよく、その場合には、通気孔１０を覆う部分的な大きさであってもよい。例えば、通気孔１０が背板６に設けられた構造の場合において、背板２６に相当する金属板が背板６の内部空間側を全面的に覆う大きさであってもよく、通気孔１０を部分的に覆う大きさであってもよい。
【００２６】
図６及び図７を参照し、実施の形態５に係るパチンコ機の筐体１について説明する。図６に示すように、木質材又は木材又は合成樹脂からなる筐体１の内部空間７に、金属からなる筐体２１を収容する構成であるが、図３及び図４に示す実施の形態３と相違する構造は、筐体１に設けられた通気孔１５が筐体１の内部空間７と外部とに貫通する一様の貫通孔により構成され、筐体２１が筐体１の内部空間７に収容された場合において背板６と背板２６とが隙間２９を形成するように互いに離れて配置され、筐体１の通気孔１５と筐体２１の通気孔２８とが互いに前後方向で対向しないように筐体１の内部空間側面に平行する方向で位置をずらして形成されて空気を流通させるものの不正操作部材を通過させ難い構造になっている。
【００２７】
換言すると、実施の形態５は、筐体１の通気孔を形成する部材として背板６を例とした場合であるので、筐体１の通気孔を形成する部材が外部側部材としての背板６と内部空間側部材としての背板２６とからなり、背板６；２６がそれの間に隙間２９を形成するように互いに離れて配置され、背板６；２６には通気孔１５；２８が筐体１の内部空間側面に平行する方向に位置をずらして形成されて空気を流通させるものの不正操作部材を通過させ難い構造になっている。よって、図外の不正操作部材が筐体１の外部から通気孔１５に挿入された場合でも、不正操作部材が金属製の背板２６に衝突して通気孔２８に挿入され難くなるので、内部空間７に配置された図外の電気部品や機構部品に対する不正操作部材による不正操作を防止することができる。
【００２８】
尚、通気孔１５を、図１のＢ図又は図２に示す通気孔１０と同様の構造に構成してもよい。筐体２１が内部空間７に収容された場合において、図１に示す幕板１４を筐体１に取り付けてもよい。又、通気孔１５が下で通気孔２８が上になるように、又は、通気孔１５が左で通気孔２８が右になるように、又は、通気孔１５が右で通気孔２８が左になるように、通気孔１５；２８が配置されてもよいが、図７に示すように、通気孔１５が上で通気孔２８が下になるように、通気孔１５；２８が配置されれば、内部空間７から外部への放熱が良好となる。
【００２９】
図８を参照し、実施の形態６に係るパチンコ機の筐体１について説明する。図８に示すように、筐体１の通気孔を形成する部材として背板６を例とした場合であるので、筐体１の通気孔を形成する部材が外部側部材としての背板６と内部空間側部材としての背板２６に相当する単独の金属板３０とからなり、背板６と金属板３０とがそれらの間に隙間２９を形成するように互いに離れて配置され、背板６と金属板３０とには通気孔１５；２８が筐体１の内部空間側面に平行する方向に位置をずらして形成されて空気を流通させるものの不正操作部材を通過させ難い構造になっている。よって、図外の不正操作部材が筐体１の外部から通気孔１５に挿入された場合でも、不正操作部材が金属製の背板２６に衝突して通気孔２８に挿入され難くなるので、内部空間７に配置された図外の電気部品や機構部品に対する不正操作部材による不正操作を防止することができる。尚、金属板３０は通気孔２８を有すると共に通気孔１５を部分的に覆う大きさであってもよい。単独の金属板３０は、図３に示す筐体２１を構成しない金属板である。
【００３０】
図９を参照し、実施の形態７に係るパチンコ機の筐体１について説明する。図９に示すように、筐体１の通気孔を形成する部材として背板６を例とした場合であるので、筐体１の通気孔を形成する部材が通気孔１５の設けられた外部側部材としての背板６に相当する単独の金属板３１と通気孔２８の設けられた内部空間側部材としての背板２６に相当する単独の金属板３０とからなり、これらの金属板３０：３１が筐体１に固定されると共にそれの間に隙間２９を形成するように互いに離れて配置され、通気孔１５と通気孔２８とが互いに前後方向で対向しないように筐体１の内部空間側面に平行する方向で位置をずらされで空気を流通させるものの不正操作部材を通過させ難い構造になっている。
【００３１】
よって、図外の不正操作部材が筐体１の外部から通気孔１５に挿入された場合でも、不正操作部材が金属製の背板２６に衝突して通気孔２８に挿入され難くなるので、内部空間７に配置された図外の電気部品や機構部品に対する不正操作部材による不正操作を防止することができる。尚、金属板３１が筐体１の後側開口を全面的に塞ぐ構造であり、金属板３０が通気孔２８を有すると共に通気孔１５を全面的に覆いかつ金属板３１を部分的に覆う大きさであってもよい。又は、金属板３０が筐体１の後側開口を全面的に塞ぐ構造であり、金属板３１が通気孔１５を有すると共に通気孔２８を全面的に覆いかつ金属板３０を部分的に覆う大きさであってもよい。単独の金属板３０；３１は、図３に示す筐体２１を構成しない金属板である。
【００３２】
図１０を参照し、実施の形態８に係る通気孔１０について説明する。図１０に示すように、背板６の外側面には金属板３２が設けられる。金属板３２は背板６の外側面を全面的に覆う大きさであってもよく、又は、通気孔１０を覆う部分的な大きさであってもよい。金属板３２には、通気孔３３が形成される。通気孔３３は、通気孔１０における外側凹部１２の外部側開口より小さい口径であり、金属板３２が背板６の外部側に重なり合わされて固定された場合に、金属板３２の通気孔３３を取り囲む部分が外側凹部１２の外部側開口の一部を塞ぐようになっている。よって、図外の不正操作部材が金属板３２の外部から通気孔３３及び外側凹部１２に挿入された場合でも、不正操作部材が外側凹部１２の奥の縦面に衝突して隙間１３に挿入され難くなるので、内部空間７に配置された図外の電気部品や機構部品に対する不正操作部材による不正操作を防止することができる。尚、通気孔１０の構造を図２に示す構造としても適用可能である。図１０において、図示は省略するが、金属板３２の通気孔３３を取り囲む部分が外側凹部１２の外部側開口の周囲を塞ぐようしてもよい。
【００３３】
図１１を参照し、実施の形態９に係る通気孔１０について説明する。図１１に示すように、背板６には図４に類似する通気孔２８を有する背板２６と図１０に類似する通気孔３３を有する金属板３２とが設けられる。よって、図外の不正操作部材が金属板３２の外部から通気孔３３及び外側凹部１２に挿入された場合でも、不正操作部材が外側凹部１２の奥の縦面に衝突して隙間１３に挿入され難くなり、外側凹部１２に挿入された不正操作部材が隙間１３から空間側凹部１１に挿入された場合でも、不正操作部材が金属製の背板２６の通気孔２８を取り囲む部分に衝突して内部空間７に挿入され難くなるので、内部空間７に配置された図外の電気部品や機構部品に対する不正操作部材による不正操作を防止することができる。背板２６は、図３に示す筐体２１の背板２６に相当する単独の金属板で構成してもよい。この単独の金属板は、筐体２１を構成しない金属板である。
【００３４】
図１２を参照し、実施の形態１０に係るスロットマシンの筐体４１について説明する。筐体４１は、天板４２の左端部と左側板４３の上端部とが互いに固定され、天板４２の右端部と右側板４４の上端部とが互いに固定され、底板４５の左端部と左側板４３の下端部とが互いに固定され、底板４５の右端部と右側板４４の下端部とが互いに固定され、背板４６の周縁部が天板４２の後部と左側板４３の後部と右側板４４の後部と底板４５の後部とに固定されたことにより、前方に開放されかつ左右上下後の囲まれた方形な内部空間４７を構成する。
【００３５】
天板４２と左側板４３と右側板４４と底板４５及び背板４６の素材は木質材又は木材又は合成樹脂等が考えられるが、天板４２と底板４５とには木質材又は木材を選択すれば、筐体４１を島設備と言われる遊技機設置構造体に釘で固定することが容易である。天板４２と左側板４３と右側板４４と底板４５及び背板４６は、直角な４隅を有する方形な板状である。左側板４３及び右側板４４は、左右対称形であり、下面と後面とが互いに直交し、上面と後面とが互いに直交し、前面が下方から上方に行くに従って徐々に後方に傾斜する後傾状になった形状である。天板４２は、左右方向の寸法が底板４５と同じであるが、底板４５よりも前後方向の寸法が小さな方形である。背板４６は、天板４２と左側板４３と右側板４４と底板４５とで囲まれた方形な内部空間４７の後部を全面的に塞ぐ大きさである。よって、内部空間４７の前面開口は、下方から上方に行くに従って徐々に後方に傾斜する後傾状になった斜面を構成する。
【００３６】
左側板４３及び右側板４４には取っ手８；９が個別に設けられ、背板４６には通気孔１０が設けられる。通気孔１０は、空間側凹部１１と外側凹部１２とを隙間１３（図１のＢ図参照）で繋いで空気を流通させるものの不正操作部材を通過させ難い構造である。
【００３７】
実施の形態１に係るパチンコ機の筐体１は内部空間７の前面開口が垂直面を構成すると共に幕板１４が設けられた構造であるに対し、実施の形態８に係るスロットマシンの筐体４１は内部空間４７の前面開口が後傾状の斜面を構成すると共に上記幕板１４が設けられていない構造であることで相違するものの、筐体４１によれば、図１に示す筐体１と同じ作用効果を発揮することができる。尚、筐体４１の前面には、スロットマシンの図外の前扉が左側に位置するヒンジを中心として開閉可能に連結される。
【００３８】
尚、図２乃至図１１の筐体１を筐体４１と読み替え、図２乃至図１１の天板２を天板４２と読み替え、図２乃至図１１の左側板３を左側板４３と読み替え、図２乃至図１１の右側板４を右側板４４と読み替え、図２乃至図１１の底板５を底板４５と読み替え、図２乃至図１１の背板６を背板４６と読み替え、図２乃至図１１の内部空間７を内部空間４７と読み替えることにより、図１２に示すスロットマシンの筐体４１に、図２乃至図１１に示す種々の構造も適用可能である。
【符号の説明】
【００３９】
１は筐体、２は天板、３は左側板、４は右側板、５は底板、６は背板、７は内部空間、８；９は取っ手、１０は通気孔、１１は空間側凹部、１２は外側凹部、１３は隙間、１４は幕板、１５は通気孔、１６乃至２０は欠番、２１は筐体、２２は天板、２３は左側板、２４は右側板、２５は底板、２６は背板、２７は内部空間、２８は通気孔、２９は隙間、３０は隙間、３０乃至３２は金属板、３３は通気孔、３４乃至４０は欠番、４１は筐体、４２は天板、４３は左側板、４４は右側板、４５は底板、４６は背板、４７は内部空間、４８乃至５０は欠番、５１は外枠、５２は内部空間、５３は天板、５４は底板、５５は左側板、５６は右側板、５７は幕板。
【図１】
0005917988.tif 000002
【図２】
0005917988.tif 000003
【図３】
0005917988.tif 000004
【図４】
0005917988.tif 000005
【図５】
0005917988.tif 000006
【図６】
0005917988.tif 000007
【図７】
0005917988.tif 000008
【図８】
0005917988.tif 000009
【図９】
0005917988.tif 000010
【図１０】
0005917988.tif 000011
【図１１】
0005917988.tif 000012
【図１２】
0005917988.tif 000013
【図１３】
0005917988.tif 000014